(57)【要約】【課題】  フレーム周波数の調整のみで液晶表示素子の表示品位を向上させることが可能な液晶表示装置を提供する。【解決手段】  マトリクス型液晶表示素子１と、液晶表示素子１を駆動する駆動手段２と、液晶表示素子１を照明するバックライト３と、駆動手段２及びバックライト３を制御する制御手段４と、を備えてなる液晶表示装置であって、駆動手段２に設けられ液晶表示素子１のフレーム周波数を定めるＣＲ発振手段５を備え、ＣＲ発信手段５は、抵抗値もしくはコンデンサ容量の少なくとも一方を設定することによって液晶表示素子１のフレーム周波数を定め、バックライト３の周波数と係数Ｎ（Ｎ：１／２、２／２、３／２、４／２、１／３、２／３の何れか）とを乗じた値と、前記フレーム周波数と、の差が３０Ｈｚよりも大きい値とする。【選択図】図１
2008309842.tif 000002
【特許請求の範囲】
【請求項１】
マトリクス型液晶表示素子と、前記液晶表示素子を駆動する駆動手段と、前記液晶表示素子を照明するバックライトと、前記駆動手段及び前記バックライトを制御する制御手段と、を備えてなる液晶表示装置であって、
前記駆動手段に設けられ前記液晶表示素子のフレーム周波数を定めるＣＲ発振手段を備え、
前記ＣＲ発信手段は、抵抗値もしくはコンデンサ容量の少なくとも一方を設定することによって前記液晶表示素子のフレーム周波数を定め、
前記バックライトの周波数と係数Ｎ（Ｎ：１／２、２／２、３／２、４／２、１／３、２／３の何れか）とを乗じた値と、前記フレーム周波数と、の差が３０Ｈｚよりも大きい値であることを特徴とする液晶表示装置。
【請求項２】
前記ＣＲ発振手段は、可変抵抗体を設けてなることを特徴とする請求項１に記載の液晶表示装置。
【請求項３】
前記ＣＲ発振手段は、可変コンデンサを設けてなることを特徴とする請求項１に記載の液晶表示装置。
【発明の詳細な説明】
【技術分野】
【０００１】
本発明は、液晶表示素子と、この液晶表示素子を照明するバックライトとを備えてなる液晶表示装置に関し、特に、マトリクス型液晶表示素子を用いた液晶表示装置に好適である。
【背景技術】
【０００２】
従来の液晶表示装置は、特許文献１に開示されるものが知られている。この液晶表示装置は、マトリクス型液晶表示素子と、前記液晶表示素子を駆動する駆動手段と、前記液晶表示素子を照明するバックライトと、前記駆動手段及び前記バックライトを制御する制御手段と、を備えてなるものである。
【０００３】
また、これらの液晶表示装置は、通常、バックライトからの出力を調光用信号によって、高速にＯＮ／ＯＦＦさせ、その期間の比であるデューティ比を変えることで、等価的に輝度を調整するチョッピング調光方式を用いて調光された照明光を出力している。
【特許文献１】特開２０００−２４１７９６号公報
【発明の開示】
【発明が解決しようとする課題】
【０００４】
しかしながら、このような液晶表示装置は、制御手段であるマイクロコンピュータによって出力できるフレーム周波数に制限があり、バックライトの調光周波数との干渉域からフレーム周波数を外せない場合があり、液晶表示素子がちらついたり縞模様が流れて見えるなどの表示品位を低下させてしまう問題があった。
【０００５】
そこで本発明の目的とするところは、上述した問題に着目してなされたものであって、フレーム周波数の調整のみで液晶表示素子の表示品位を向上させることが可能な液晶表示装置を提供することにある。
【課題を解決するための手段】
【０００６】
本発明の液晶表示装置は、マトリクス型液晶表示素子と、前記液晶表示素子を駆動する駆動手段と、前記液晶表示素子を照明するバックライトと、前記駆動手段及び前記バックライトを制御する制御手段と、を備えてなる液晶表示装置であって、前記駆動手段に設けられ前記液晶表示素子のフレーム周波数を定めるＣＲ発振手段を備え、前記ＣＲ発信手段は、抵抗値もしくはコンデンサ容量の少なくとも一方を設定することによって前記液晶表示素子のフレーム周波数を定め、前記バックライトの周波数と係数Ｎ（Ｎ：１／２、２／２、３／２、４／２、１／３、２／３の何れか）とを乗じた値と、前記フレーム周波数と、の差が３０Ｈｚよりも大きい値であることを特徴とする。
【０００７】
また、前記ＣＲ発振手段は、可変抵抗体を設けてなることを特徴とする。
【０００８】
また、前記ＣＲ発振手段は、可変コンデンサを設けてなることを特徴とする。
【発明の効果】
【０００９】
本発明は、マトリクス型液晶表示素子と、前記液晶表示素子を駆動する駆動手段と、前記液晶表示素子を照明するバックライトと、前記駆動手段及び前記バックライトを制御する制御手段とを備えてなる液晶表示装置に関し、フレーム周波数の調整のみで液晶表示素子の表示品位を向上できる。
【発明を実施するための最良の形態】
【００１０】
以下、本発明液晶表示装置の実施の形態として車両のインストルメントパネルに設けられる車両用計器の液晶表示部に適用した場合を例に挙げ添付図面に基づいて説明する。なお、この車両用計器は、詳しく図示しないが、ギアインジケータの他に車両走行速度や、エンジン回転数、残燃料量、積算走行距離などの車両情報を表示する複合計器からなる。
【００１１】
図１は、本発明の実施の形態の液晶表示部の電気的な構成を示すものであり、液晶表示素子１と、駆動手段２と、バックライト３と、制御手段４と、ＣＲ発振手段５と、を備えている。
【００１２】
液晶表示素子１は、マトリクス型の液晶表示パネルを適用できる。液晶表示素子１は、駆動手段２からの走査ライン毎の駆動信号に基づいて表示像を形成するものである。この場合、液晶表示素子１は、前述したような車両情報を所定情報として表示する領域が設けてなり、この領域内の走査ラインが作動するように構成されている。
【００１３】
駆動手段２は、液晶表示素子１を駆動する駆動ドライバＩＣを適用でき、制御手段４からの制御信号に基づいて、液晶表示素子１を駆動するべく駆動信号を液晶表示素子１に出力するものである。また、駆動手段２は、図示しない周波数発振手段を内蔵しており、この周波数発振手段からの周波数をＣＲ発振手段５による調整によって定められるフレーム周波数に基づいて、前記走査ライン毎に液晶表示素子１を駆動制御する。
【００１４】
バックライト３は、液晶表示素子１を照明する発光ダイオードを適用でき、制御手段４からの制御信号に基づいて、所定の周波数にてオン／オフする。
【００１５】
制御手段４は、駆動手段２およびバックライト３をＰＷＭ制御するマイクロコンピュータを適用でき、周波数発振素子やＣＰＵ，ＲＡＭ，ＲＯＭ，入出力インターフェースを備えてなり、通信ケーブルを介して、車両情報を入力するとともに、ＲＯＭに格納された処理プログラムに基づいて、バックライト３や液晶表示素子１を制御するべく制御信号を生成し出力する。なお、制御手段４は、前記周波数発振素子に基づく制御信号によってバックライト３を制御している。
【００１６】
ＣＲ発振手段５は、駆動手段２の所定ポートに接続される抵抗体とコンデンサとからなり、抵抗体の抵抗値もしくはコンデンサの容量に応じて、駆動手段２が発するフレーム周波数を調整するものである。例えば、抵抗体の抵抗値もしくはコンデンサの容量をより大きくすることによってフレーム周波数をより小さく調整することができる。したがって、ＣＲ発振手段５は、フレーム周波数を大きくまたは小さく設定することによって、フレーム周波数をバックライト３の周波数に対する干渉域から外れるように定めることができる。具体的には、バックライトの周波数と係数Ｎ（Ｎ：１／２、２／２、３／２、４／２、１／３、２／３の何れか）とを乗じた値と、前記フレーム周波数と、の差が３０Ｈｚよりも大きい値となるように、ＣＲ発振手段５を設定することによって干渉域から外れることが可能となる。
【００１７】
なお、ＣＲ発振手段５は、可変抵抗体もしくは可変コンデンサを設けることによって構成することもでき、抵抗値もしくはコンデンサ容量を調整することによって、液晶表示素子がちらついたり縞模様が流れて見えるなどすることのない最適なフレーム周波数を手動あるいは自動で設定できる。また、例えば、温度センサを設けることによって、温度に応じて変化する抵抗値もしくはコンデンサ容量を最適な値となるように自動設定し、バックライト３の周波数に対して干渉しない最適なフレーム周波数に調整することも考えられる。
【００１８】
斯かる液晶表示装置は、マトリクス型液晶表示素子１と、液晶表示素子１を駆動する駆動手段２と、液晶表示素子１を照明するバックライト３と、駆動手段２及びバックライト３を制御する制御手段４と、を備えてなる液晶表示装置であって、駆動手段２に設けられ液晶表示素子１のフレーム周波数を定めるＣＲ発振手段５を備え、ＣＲ発信手段５は、抵抗値もしくはコンデンサ容量の少なくとも一方を設定することによって液晶表示素子１のフレーム周波数を定め、バックライト３の周波数と係数Ｎ（Ｎ：１／２、２／２、３／２、４／２、１／３、２／３の何れか）とを乗じた値と、前記フレーム周波数と、の差が３０Ｈｚよりも大きい値である。
【００１９】
したがって、フレーム周波数の調整のみで液晶表示素子１の表示品位を向上させることが可能な液晶表示装置となる。
【００２０】
また、ＣＲ発振手段５は、可変抵抗体を設けてなる、あるいは可変コンデンサを設けてなることによって、フレーム周波数の調整を容易に行うことができ、液晶表示素子の表示品位を向上させることが可能な液晶表示装置となる。
【００２１】
なお、本発明の液晶表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【図面の簡単な説明】
【００２２】
【図１】本発明の実施の形態を示す調光制御回路の構成を示す図。
【符号の説明】
【００２３】
１  液晶表示素子
２  駆動手段
３  バックライト
４  制御手段
５  ＣＲ発振手段
【図１】
2008309842.tif 000003